(57)【要約】【課題】遊技用器具によって獲得した賞玉やメダル等の遊技媒体を収容し、運搬するための遊技媒体収容箱(1)において、載置状態における安定性を向上させること。【解決手段】遊技媒体が収容される上方開放の収容部(10)の外周域に、前記収容部(10)の上方開放端全域から斜め下方へ向かって張り出す下方開放のスカート部(11)を設け、前記スカート部(11)の高さは前記収容部(10)の高さに略一致させたこと。【選択図】図１
0003120856.tif 000002
【実用新案登録請求の範囲】
【請求項１】
遊技用器具によって獲得した賞玉やメダル等の遊技媒体を収容し、運搬するための遊技媒体収容箱において、
前記遊技媒体が収容される上方開放の収容部の外周域に、前記収容部の上方開放端全域から斜め下方へ向かって張り出す下方開放のスカート部を設け、前記スカート部の高さは前記収容部の高さに略一致させたことを特徴とする遊技媒体収容箱。
【請求項２】
請求項１に記載の遊技媒体収容箱において、前記収容部は上方に向かって拡径する横断面楕円形状の容器とし、前記スカート部は下方に向かって拡径し且つ前記収容部と同心の横断面楕円形状に構成されていることを特徴とする遊技媒体収容箱。
【請求項３】
請求項２に記載の遊技媒体収容箱において、前記スカート部の長径方向の両端に、複数の指が挿入可能な大きさの切欠が下方開放状態にそれぞれ設けられ、前記収容部の上方開放端の長径方向の両端に、内方に張り出す張り出し部がそれぞれ設けられていることを特徴とする遊技媒体収容箱。
【考案の詳細な説明】
【技術分野】
【０００１】
本考案は、パチンコやスロットマシン等の遊技台で獲得したパチンコ玉や遊技メダル等の遊技媒体を収容して運搬するために使用される収容箱に関する。
【背景技術】
【０００２】
例えば、パチンコ店においては、図４に示すように、幅の狭いカウンター(25)に沿って多数の遊技台(2)が配設されており、各遊技台(2)には、玉が弾き出される遊技部(20)と、その下方に設けられる上玉受皿(21)と、上玉受皿(21)の下方に設けられる下玉受皿(22)と、下玉受皿(22)の右方に設置されるハンドル(23)とが具備されてあり、上玉受皿(21)に入れられた玉を、ハンドル(23)を回動させることで遊技部(20)内に弾き出して遊技を行い、入賞して獲得した賞玉(3)を下玉受皿(22)で受ける仕組みになっている。
【０００３】
そして、下玉受皿(22)内に賞玉(3)が溢れるようなとき、又は、遊技を終了するときには、下玉受皿(22)に溜まった賞玉(3)を、その下方のカウンター(25)上に配置する収容箱(1)に、開閉レバー（図示せず）の操作等で落下させて移し替える。
遊技を終了する場合は、収容箱(1)ごと景品交換所に持っていき、遊技を続ける場合は、収容箱(1)は、賞玉(3)を満杯に収容した状態で足元に載置される。
【特許文献１】特開平９−９４３４６号公報
【特許文献２】特開２００４−１２１４５３号公報
【特許文献３】特開２００５−２１１１７４号公報
【考案の開示】
【考案が解決しようとする課題】
【０００４】
収容箱(1)は、狭いカウンター(25)上に載置させるために、通常、短辺が比較的短めに構成された横長矩形状で且つ上方に開放する容器であり、不使用時には、重ねて収納できるように、上方に向かって拡大するように、各側面は傾斜させている。
【０００５】
従来の収容箱(1)は、上記形状であるから、短辺方向への安定性が悪く、足元に置いてある収容箱(1)に、足や他の荷物が当たる等、短辺方向に外的衝撃が加わった場合、収容箱(1)を転倒させてしまうおそれがある。
これは、スロットマシンで獲得した遊技メダル等を収容する収容箱についても同じである。
【０００６】
本考案は、『遊技用器具によって獲得した賞玉やメダル等の遊技媒体を収容し、運搬するための遊技媒体収容箱』において、載置状態における安定性を向上させることを課題とする。
【課題を解決するための手段】
【０００７】
（１）請求項１に係る考案の遊技媒体収容箱は、『前記遊技媒体が収容される上方開放の収容部の外周域に、前記収容部の上方開放端全域から斜め下方へ向かって張り出す下方開放のスカート部を設け、前記スカート部の高さは前記収容部の高さに略一致させたこと』を特徴とする。
上記手段は次のように作用する。
パチンコ玉やメダル等の遊技媒体を入れる収容部の上方開放端から、スカート部を外方斜め下方に向かって張り出させると共に、前記スカート部の高さを収容部の高さと略同一に設定することにより、収容部の上端部から下端部に至る外周全域が前記スカート部によって囲まれた二重構造となる。前記スカート部は斜め下方に向かって末広がりに張り出していることにより、スカート部の姿勢は安定する。すなわち、収容部は、その安定姿勢に構成されたスカート部によって周囲から支えられる構造となる。又、収容部の外面と、スカート部の内面との間に、所定幅の空間部が形成されることにより、収容部内に落下させるパチンコ玉等の遊技媒体が収容部の底部に衝突する衝突音及び遊技媒体相互が衝突する衝撃音が前記空間部によって多少吸収されることとなる。
【０００８】
（２）請求項２に係る考案のものは、請求項１に記載の遊技媒体収容箱において、『前記収容部は上方に向かって拡径する横断面楕円形状の容器とし、前記スカート部は下方に向かって拡径し且つ前記収容部と同心の横断面楕円形状に構成されている』ものであるから、収容箱の外観は、下方に向かって拡径する末広がりの楕円形容器の中央に、収容部の楕円形状の上方開放端が同心状に開放する形状を呈することとなる。収容部は、底面に向かって縮径する形状に構成されているが、収容部をパチンコ玉等の遊技媒体で満杯にした状態においては、スカート部で囲まれた末広がりの範囲全体に前記遊技媒体が収容されているように見える。
【０００９】
（３）請求項３に係る考案のものは、請求項２に記載の遊技媒体収容箱において、『前記スカート部の長径方向の両端に、複数の指が挿入可能な大きさの切欠が下方開放状態にそれぞれ設けられ、前記収容部の上方開放端の長径方向の両端に、内方に張り出す張り出し部がそれぞれ設けられている』ことを特徴とするもので、収容箱を運搬する際に、切欠に、親指以外の複数の指を挿入し、収容部内に張り出させた張り出し部に親指を添えれば、スカート部の長径方向の両端を上下からつかむように収容箱を両手で持ち上げて、運搬することができる。
【考案の効果】
【００１０】
請求項１に係る考案によれば、収容部の外周全域を末広がりのスカート部で支持させる構成としたから、収容部の安定性は向上する。よって、床に置いてある収容箱を不用意に蹴ってしまったり、荷物が当たったりする等、外側方からの衝撃が収容箱の外面に加えられても、収容箱が転倒してしまう不都合はない。又、パチンコ玉やメダル等の金属製の遊技媒体を収容部内に多数落下させる際に、遊技媒体が収容部の底部に当たったり、遊技媒体相互が衝突したりすることにより生じる大きな衝撃音は、前記収容部とスカート部との間に形成される空間部にある程度吸収されるから、高音で耳障りな衝撃音の消音効果が期待できる。
【００１１】
又、請求項２に係る考案によれば、上記効果に加えて、収容部の周囲に末広がりのスカート部を設ける形状とすることにより、収容部に収容されている遊技媒体は、実際の量よりも多く見える。このように、獲得した遊技媒体を実際の量よりも多く見せることによって、遊技者に満足感を与えたり、他の遊技者に興趣を起こさせたりして、さらなる遊戯心を奮起させることができる。
また、請求項３に係る考案によれば、上記各効果に加えて、収容箱の運搬が容易となる。
【考案を実施するための最良の形態】
【００１２】
以下に、本考案を実施するための最良の形態について添付図面を参照しながら説明する。
図１は、本考案の実施の形態の遊技媒体収容箱(1)の斜視図である。図２は、図１の遊技媒体収容箱(1)を短径に沿って切断した状態を示す縦断面図、図３は、図１の遊技媒体収容箱(1)を長径に沿って切断した状態を示す縦断面図であって、その運搬状態を示している。
【００１３】
この実施の形態の遊技媒体収容箱(1)は、図１に示すように、全体に末広がりの楕円形状に構成された硬質合成樹脂製の容器であり、パチンコの賞玉やスロットマシンのコインやメダル等の遊技媒体は、中央に上方開放状態に設けられている収容部(10)に収容される。
【００１４】
収容部(10)は、楕円形の上方開放端を有する容器であり、図２及び図３に示すように、底面に向かって縮径するテーパ面で構成されている。又、図示しないが、収容部(10)の底面には、前記遊技媒体の一部を下方へ突出させて下方のカウンター（図４の(25)参照）に接触させ、遊技台を通過中に遊技媒体に帯電する静電気を前記カウンターへ逃がすための穴が２つ形成されている。
【００１５】
又、収容部(10)の上方開放端からは、外方斜め下方に向かって、スカート部(11)が形成されている。スカート部(11)は、前記収容部(10)の上方開放端と同心で且つ下方に向かって拡径する横断面楕円形状のテーパ面からなり、下方開放状態に構成されている。尚、スカート部(11)の高さは、収容部(10)の高さに略一致している。
【００１６】
収容部(10)は、上述したように、上方に向かって拡径し、スカート部(11)は、下方に向かって拡径するように構成されているから、収容部(10)の外面(10a)と、スカート部(11)の内面(11a)との間には、全周にわたって末広がりの空間部(12)が形成される。
【００１７】
又、収容部(10)の上方開放端を構成している楕円形の長径の両端部からは、前記上方開放端よりも一段低い位置から収容部(10)の内方へ向かって張り出す一対の張り出し部(13)(13)が設けられており、前記長径の延長線上に位置するスカート部(11)の下端両端部には、それぞれ切欠(14)(14)が下方開放状態に形成されている。前記切欠(14)(14)は、親指を除く４本の指を横に並べて挿入可能な幅及び高さを有しており、各切欠(14)の上端部は、指の形に応じて４つの円弧が連続する形状に構成されている。
【００１８】
本考案の遊技媒体収容箱(1)は、図１に示すように、収容部(10)の周囲を末広がりのスカート部(11)が支える構造となっているため、遊技媒体収容箱(1)自体の安定性は良好となり、床に置いた遊技媒体収容箱(1)に足や荷物等が当たるなどして、スカート部(11)の外面に外的衝撃が加えられたとしても、遊技媒体収容箱(1)は、水平方向にずれることはあっても、ひっくり返るようなことはない。
【００１９】
又、遊技媒体収容箱(1)を運搬するには、図３に示すように、切欠(14)(14)に、親指以外の複数本の指を挿入し、張り出し部(13)に親指を当てて持ち上げると、遊技媒体収容箱(1)は容易に持ち上げられ、運搬することができる。
【００２０】
遊技媒体は、通常、金属製のパチンコ玉やメダルやコイン等であり、例えば、パチンコ店においては、図４に示したような遊技台(2)に設けられている下玉受皿(22)に溜まった賞玉(3)を、遊技媒体収容箱(1)に排出させる際に、金属製の賞玉(3)が硬質樹脂製の収容部(10)の底面にぶつかる衝撃音、及び、賞玉(3)相互が衝突するときの衝撃音が著しい騒音となって店内に響き、とても喧しく耳障りであるが、この実施の形態の遊技媒体収容箱(1)を利用することにより、前記衝撃音は、収容部(10)の外周面(10a)とスカート部(11)の内周面(11a)との間に形成される空間部(12)で吸収されることとなるから、消音効果が期待できる。
【００２１】
又、遊技媒体収容箱(1)の収容部(10)は、上記したように、下方に向かって縮径するテーパ面により構成されており、スカート部(11)は、下方に拡径するテーパ面により構成されており、さらに、収容部(10)とスカート部(11)との間には空間部(12)が形成される構造としたから、遊技媒体収容箱(1)は、相互に重ねて収納しておくことができる。
【００２２】
さらに、遊技媒体収容箱(1)は、上記形状の収容部(10)の周囲に、上記形状のスカート部(11)を設ける構成とすることによって、収容部(10)内にパチンコ玉等の遊技媒体を収容した状態においては、末広がりのスカート部(11)内全体に詰め込まれているように見え、実際に収容部(10)内に収容されている量よりも多くの遊技媒体を獲得しているように見える。これにより、遊技者に満足感を与えると共に、他の遊技者の競争心を煽ることとなり、売り上げの向上にもつながることとなる。
【図面の簡単な説明】
【００２３】
【図１】本考案の実施の形態の遊技媒体収容箱(1)の斜視図。
【図２】本考案の実施の形態の遊技媒体収容箱(1)を短径に沿って切断した状態を示す縦断面図。
【図３】本考案の実施の形態の遊技媒体収容箱(1)を長径に沿って切断した状態を示す縦断面図であり、運搬時の様子を示している。
【図４】従来の遊技媒体収容箱(1)とその使用態様を示す説明図。
【符号の説明】
【００２４】
(1) ・・・・・・・遊技媒体収容箱
(10)・・・・・・・収容部
(11)・・・・・・・スカート部
【図１】
0003120856.tif 000003
【図２】
0003120856.tif 000004
【図３】
0003120856.tif 000005
【図４】
0003120856.tif 000006